(57)【要約】【課題】空調機から直撃される冷風又は温熱風から遊技者を保護する風防装置を備える遊技機を提供する。【解決手段】遊技機１は風防装置２を備える。風防装置２は、基端部が筐体４の上部に回動可能に連結し、先端部が延出可能な一対の伸縮ロッド２１ａ・２１ｂと、伸縮ロッドの先端部同士を回転可能に連結する連結ロッド２２と、一端の両翼が伸縮ロッドの基端部に係止され、他端の両翼が伸縮ロッドの先端部に係止されて、伸縮ロッドに沿って張設可能な伸縮シート２３と、一端が連結ロッド２２に取着され、連結ロッド２２に巻回される巻回シート２４と、を有する。伸縮ロッドの先端部を前方に伸長した状態で、伸縮シート２３が遊技者の頭部上方を覆い、巻回シート２４の他端が展開されて遊技者の背後を覆う。【選択図】図１
2008237299.tif 000002
【特許請求の範囲】
【請求項１】
前面扉を開閉する筐体を備える遊技機であって、
遊技者の頭部上方、及び背後を覆う風防装置を備え、
前記風防装置は、基端部が前記筐体の上部に回動可能に連結し、先端部が引き出し自在に延出可能な一対の伸縮ロッドと、これらの伸縮ロッドの先端部同士を回転可能に連結する連結ロッドと、一端の両翼が前記一対の伸縮ロッドの基端部に係止され、他端の両翼が前記一対の伸縮ロッドの先端部に係止され、当該伸縮ロッドに沿って張設可能な伸縮シートと、一端が前記連結ロッドに取着され、前記連結ロッドに巻回される巻回シートと、を有し、
前記一対の伸縮ロッドの先端部を前方に伸長した状態では、前記伸縮シートが遊技者の頭部上方を覆い、かつ、前記巻回シートの他端が展開されて遊技者の背後を覆うことを特徴とする遊技機。
【請求項２】
前記一対の伸縮ロッドが圧縮されて後方に傾倒した状態では、前記伸縮シートが圧縮され、かつ、前記伸縮シートが前記連結ロッドに巻回されて、前記筐体の上部に収容されることを特徴とする請求項１記載の遊技機。
【請求項３】
前記伸縮シートは、山折りと谷折りが繰り返される蛇腹構造となっていることを特徴とする請求項１又は２記載の遊技機。
【請求項４】
前記巻回シートは、透明体で形成されることを特徴とする請求項１から３のいずれかに記載の遊技機。
【請求項５】
前記伸縮ロッドは、短尺のサイドカーテンを有することを特徴とする請求項１から４のいずれかに記載の遊技機。
【発明の詳細な説明】
【技術分野】
【０００１】
本発明は、遊技機に関する。特に、空気調節装置から直撃される冷風又は温熱風から遊技者を保護する風防装置を備える遊技機に関する。
【背景技術】
【０００２】
一般に、スロットマシン、又はパチンコ機などの遊技機の遊技者は、椅子に座り、遊技機と対面して遊技している。そして、多数の遊技機を設置する遊技店には、遊技者が快適に遊技を楽しめるように、店舗内に空気調節装置（エアーコンディショナー、以下、空調機という）が設置されている。
【０００３】
このような遊技店では、遊技機の前で喫煙する遊技者もいることから、店舗内の空調機に頼ることなく、遊技機の周囲に漂う煙草の煙を除去することが可能な遊技機が発明されている（例えば、特許文献１参照）。
【０００４】
特許文献１による遊技機は、遊技機の前面扉の吸引口と重なる下部開口と、前面扉の排出口と重なる上部開口とをダクトで連通させ、このダクト内に設けた送風ユニットが送風スイッチを操作することで作動して、煙草の煙や塵埃を吸引口から取り込み、フィルタを通過させることで浄化した空気を排出口から排出する排煙ユニットを設けている。
【特許文献１】特開２００４−２３６９０６号公報
【発明の開示】
【発明が解決しようとする課題】
【０００５】
しかし、特許文献１による遊技機は、前面扉に吸引口を設けているので、空調機から送風される冷たい又は温かい直撃風を取り込み易くなるという問題がある。一般に、空調機は、最適温度に送風されるように調整されているが、体感温度には個人差があり、遊技者個人によっては、空調機からの直撃風が避けられることが好ましい。したがって、遊技機に風防装置を取り付けることにより、空調機の直撃風を防止し、快適に遊技できることが望まれる。そして、以上のことが本発明の課題といってよい。
【０００６】
本発明は、このような問題に鑑みてなされたものであり、空調機から直撃される冷風又は温熱風から遊技者を保護する風防装置を備える遊技機を提供することを目的とする。
【課題を解決するための手段】
【０００７】
本発明者らは、上記目的を達成するため、遊技機の上部に収容可能な風防装置を遊技機に配置することにより、個人差に対応して、空調機から直撃される冷風又は温熱風から遊技者を保護できることを見出し、これに基づいて、以下のような新たな風防装置を備える遊技機を発明するに至った。
【０００８】
（１）  前面扉を開閉する筐体を備える遊技機であって、前面扉を開閉する筐体を備える遊技機であって、遊技者の頭部上方、及び背後を覆う風防装置を備え、前記風防装置は、基端部が前記筐体の上部に回動可能に連結し、先端部が引き出し自在に延出可能な一対の伸縮ロッドと、これらの伸縮ロッドの先端部同士を回転可能に連結する連結ロッドと、一端の両翼が前記一対の伸縮ロッドの基端部に係止され、他端の両翼が前記一対の伸縮ロッドの先端部に係止され、当該伸縮ロッドに沿って張設可能な伸縮シートと、一端が前記連結ロッドに取着され、前記連結ロッドに巻回される巻回シートと、を有し、前記一対の伸縮ロッドの先端部を前方に伸長した状態では、前記伸縮シートが遊技者の頭部上方を覆い、かつ、前記巻回シートの他端が展開されて遊技者の背後を覆うことを特徴とする遊技機。
【０００９】
（１）の発明による遊技機は、前面扉を開閉する筐体を備えている。又、（１）の発明による遊技機は、遊技者の頭部上方、及び背後を覆う風防装置を備えている。風防装置は、一対の伸縮ロッド、連結ロッド、伸縮シート、巻回シートを有している。
【００１０】
伸縮ロッドの基端部は、筐体の上部に回動可能に連結している。伸縮ロッドの先端部は、引き出し自在に延出可能となっている。連結ロッドは、一対の伸縮ロッドの先端部同士を回転可能に連結している。伸縮シートの一端の両翼は、一対の伸縮ロッドの基端部に係止されている。一対の伸縮ロッドの他端の両翼は、一対の伸縮ロッドの先端部に係止されている。伸縮シートは、伸縮ロッドに沿って張設可能となっている。巻回シートの一端は、連結ロッドに取着されている。巻回シートは、連結ロッドに巻回されている。
【００１１】
そして、（１）の発明による遊技機は、一対の伸縮ロッドの先端部を前方に伸長した状態では、伸縮シートが遊技者の頭部上方を覆い、かつ、巻回シートの他端が展開されて遊技者の背後を覆っている。
【００１２】
ここで、伸縮ロッドは、一方の管端の口径が他方の管端に向けて縮径する複数のテーパ管で構成してよく、等差級数的な多段階の口径を有する複数のテーパ管が相互に挿嵌されてよく、伸縮ロッドの先端部を引き出し自在に延出できる。最大口径のテーパ管が基端部となり、最小口径のテーパ管が先端部となるように、筐体の上部に配置される。伸縮ロッドは、金属管で形成してよく、合成樹脂管で形成してもよい。
【００１３】
伸縮ロッドの基端部には、継手が設けられてよく、例えば、この継手は固定子と回転子で構成される。そして、一対の固定子が所定距離、離間して筐体の上部に固定される。回転子は、固定子に回動可能に連結してよく、伸縮ロッドの先端部を前方又は後方に回動できる。固定子に対し、回転子が１８０度以上開角しないように、回転子の回動角度を規制することが好ましい。
【００１４】
伸縮シートは、所定風圧の直撃風が通過困難な材質であればよく、軽量であり折りたたみ可能な材質が好ましい。例えば、伸縮シートは、布製のシートであってよく、合成樹脂製のシートであってよく、後述するように山折りと谷折りが繰り返される蛇腹構造が好ましい。
【００１５】
伸縮ロッドの基端部に鉤状の係止部材を設けてよく、伸縮シートの一端の両翼にこの鉤状の係止部材に係止する口金状の係止穴を設けてよく、伸縮シートの一端が一対の伸縮ロッドの基端部に着脱自在に係止することが好ましい。
【００１６】
同様に、伸縮ロッドの先端部に鉤状の係止部材を設けてよく、伸縮シートの他端の両翼にこの鉤状の係止部材に係止する口金状の係止穴を設けてよく、伸縮シートの他端が一対の伸縮ロッドの先端部に着脱自在に係止することが好ましい。
【００１７】
（１）の発明による遊技機は、風防装置に備わる一対の伸縮ロッドの先端部を前方に略平行に伸長した状態では、伸縮シートが遊技者の頭部上方を覆い、かつ、巻回シートの他端が展開されて遊技者の背後を覆っているので、空調機から直撃される冷風又は温熱風から遊技者を保護できる。
【００１８】
（２）  前記一対の伸縮ロッドが圧縮されて後方に傾倒した状態では、前記伸縮シートが圧縮され、かつ、前記巻回シートが前記連結ロッドに巻回されて、前記筐体の上部に収容されることを特徴とする（１）記載の遊技機。
【００１９】
（２）の発明による遊技機は、遊技者の要望に応じて、風防装置を必要としないときは、この風防装置を遊技機の上部にコンパクトに収容できる。
【００２０】
（３）  前記伸縮シートは、山折りと谷折りが繰り返される蛇腹構造となっていることを特徴とする（１）又は（２）記載の遊技機。
【００２１】
例えば、伸縮シートは、一対の伸縮ロッド間を装架する比較的硬質の複数の帯板を有してよく、屈折可能な比較的軟質の条片でこれらの帯板を相互に結合することにより、伸縮シートを山折りと谷折りが繰り返される蛇腹構造にできる。
【００２２】
（３）の発明による遊技機は、一対の伸縮ロッドの先端部を前方に伸長した状態では、伸縮シートが略平坦となって、遊技者の頭部上方を覆うことができる。一対の伸縮ロッドを収縮すると、複数の帯板が相互に重なりあって、風防装置を遊技機の上部にコンパクトに収容できる。
【００２３】
（４）  前記巻回シートは、透明体で形成されることを特徴とする（１）から（３）のいずれかに記載の遊技機。
【００２４】
（４）の発明による遊技機は、巻回シートが透明体で形成されているので、この巻回シートが展開された状態で、巻回シートを介して不正行為を監視できる。
【００２５】
（５）  前記伸縮ロッドは、短尺のサイドカーテンを有することを特徴とする（１）から（４）のいずれかに記載の遊技機。
【００２６】
（５）の発明による遊技機は、伸縮シートが張設された状態で、伸縮シートから巻き込む風を防止できる。
【発明の効果】
【００２７】
本発明による遊技機は、風防装置に備わる一対の伸縮ロッドの先端部を前方に伸長した状態では、伸縮シートが遊技者の頭部上方を覆い、かつ、巻回シートの他端が展開されて遊技者の背後を覆っているので、空調機から直撃される冷風又は温熱風から遊技者を保護できる。又、本発明による遊技機は、遊技者の要望に応じて、風防装置を必要としないときは、この風防装置を遊技機の上部にコンパクトに収容できる。
【発明を実施するための最良の形態】
【００２８】
以下、図面を参照して本発明を実施するための最良の形態を説明する。
【００２９】
図１は、本発明による遊技機の一実施形態を示す斜視外観図である。図２は、前記実施形態による遊技機に備わる風防装置の平面図である。図３は、前記実施形態による遊技機に備わる風防装置の正面図である。図４は、前記実施形態による遊技機に備わる風防装置の斜視外観図である。図５は、前記実施形態による遊技機に備わる風防装置の要部を拡大した斜視外観図である。
【００３０】
最初に、本発明による遊技機の構成を説明する。図１において、遊技機１は、いわゆるパチスロ機であり、遊技機１には後述する風防装置２が備えられている。遊技機１は、コイン、メダル、遊技球、又はトークンなどの他、遊技者に付与されたもしくは付与される遊技価値の情報を記憶したカードなどの遊技媒体を用いて遊技する遊技機であるが、以下ではメダルを用いるものとして説明する。
【００３１】
図１において、遊技機１は、前面扉３が開閉可能に配置された筐体４を備えており、前面扉３の正面には、略垂直面であるパネル表示部３ａと、画像の表示による演出を行う画像表示手段である液晶表示部３ｂと、固定表示部３ｃとが形成されている。又、前面扉３の背後には、遊技に必要な複数種類の図柄が各々の外周面に描かれた図柄表示手段である３個のリール５Ｌ・５Ｃ・５Ｒが、回転自在に横一列に設けられている。各リール５Ｌ・５Ｃ・５Ｒは、一定の速度で回転する（例えば、８０回転／分）。
【００３２】
パネル表示部３ａ、液晶表示部３ｂ、及び固定表示部３ｃの下方には略水平面の台座部６が形成されている。台座部６の右側には、メダルを投入するためのメダル投入口７が設けられている。投入されたメダルは、クレジットされるか、ゲームに賭けられる。又、台座部６の左側には、押下操作により、クレジットされているメダルを賭けるための１−ＢＥＴスイッチ８、２−ＢＥＴスイッチ９、及び最大ＢＥＴスイッチ１０が設けられている。
【００３３】
１−ＢＥＴスイッチ８は、１回の押し操作により、クレジットされているメダルのうちの１枚がゲームに賭けられ、２−ＢＥＴスイッチ９は、１回の押し操作により、クレジットされているメダルのうちの２枚がゲームに賭けられ、最大ＢＥＴスイッチ１０は、１回のゲームに賭けることが可能な最大枚数のメダルが賭けられる。
【００３４】
これらのＢＥＴスイッチ８〜１０を操作することで、所定の表示ラインが有効化される。ＢＥＴスイッチ８〜１０の操作及びメダル投入口７にメダルを投入する操作（遊技を行うためにメダルを投入する操作）を、以下「ＢＥＴ操作」という。又、ＢＥＴスイッチ８〜１０の上方には、操作部１１が設けられている。操作部１１は、液晶表示装置（図示せず）に遊技履歴などの情報を表示するために操作される。
【００３５】
台座部６の前面部の左寄りには、遊技者がゲームで獲得したメダルのクレジット／払出しを押しボタン操作で切り換えるＣ／Ｐスイッチ１２が設けられている。Ｃ／Ｐスイッチ１２の切り換えにより、正面下部のメダル払出口１３からメダルが払出され、払出されたメダルはメダル受け部１４に溜められる。メダル受け部１４の上方の左右には、効果音などを出音することで音による演出を行う音演出手段としての一対のスピーカ１５Ｌ・１５Ｒが設けられている。
【００３６】
Ｃ／Ｐスイッチ１２の右側には、遊技者の操作により前記リールを回転させ、図柄の変動表示を開始するための開始操作手段であるスタートレバー１６が所定の角度範囲で回動自在に取り付けられている。
【００３７】
台座部６の前面部中央で、スタートレバー１６の図１中右側には、停止操作手段である停止ボタンユニット１７が設けられている。停止ボタンユニット１７は、３個のリール５Ｌ・５Ｃ・５Ｒの回転をそれぞれ停止させるために遊技者が押圧操作可能な停止操作部である３個の停止ボタン１８Ｌ・１８Ｃ・１８Ｒを備える。なお、一のゲーム（単位遊技）は、基本的にスタートレバー１６が操作されることにより開始し、全てのリール５Ｌ・５Ｃ・５Ｒが停止したときに終了する。
【００３８】
パネル表示部３ａは、ボーナス遊技情報表示部、ＢＥＴランプ、払出表示部、及びクレジット表示部（ともに図示せず）により構成される。そして、ボーナス遊技情報表示部は、７セグメントＬＥＤから成り、ボーナス中の遊技情報を表示する。１−ＢＥＴランプ、２−ＢＥＴランプ、及び最大ＢＥＴランプ（ともに図示せず）は、一のゲームを行うために賭けられたメダルの数（以下「ＢＥＴ数」という）に応じて点灯する。
【００３９】
１−ＢＥＴランプは、ＢＥＴ数が１枚のときに点灯する。２−ＢＥＴランプは、ＢＥＴ数が２枚のときに点灯する。最大ＢＥＴランプは、ＢＥＴ数が３枚のときに点灯する。払出表示部及びクレジット表示部は、それぞれ７セグメントＬＥＤから成り、入賞が成立した時（役が成立したとき）のメダルの払出枚数及びクレジットされているメダルの枚数を表示する。
【００４０】
又、液晶表示部３ｂは、図柄表示領域、窓枠表示領域、及び演出表示領域により構成される（ともに図示せず）。液晶表示部３ｂの表示内容は、リール５Ｌ・５Ｃ・５Ｒの回転及び停止態様、及び液晶表示装置の動作により変化するようになっている。
【００４１】
図柄表示領域は、各リール５Ｌ・５Ｃ・５Ｒに対応して設けられ、リール５Ｌ・５Ｃ・５Ｒ上に配置された図柄の表示や、種々の演出表示を行う。図柄表示領域には、表示ラインとして、水平方向にトップライン、センターライン、及びボトムライン、並びに、斜め方向にクロスアップライン及びクロスダウンラインが設けられる（ともに図示せず）。これらの表示ラインは、遊技者が、前述のＢＥＴスイッチ８〜１０を押下操作すること、又はメダル投入口７にメダルを投入することにより、それぞれ１本、３本、５本が有効化される（以下、有効化された表示ラインを「有効ライン」と記載する）。どの表示ラインが有効化されたかは、前述のＢＥＴランプの点灯で表示される。ここで、表示ラインは、役の成否に関わる。
【００４２】
図柄表示領域は、少なくとも、対応するリール５Ｌ・５Ｃ・５Ｒが回転中のとき、及び、対応する停止ボタン１８Ｌ・１８Ｃ・１８Ｒが押圧操作可能なとき、遊技者がリール５Ｌ・５Ｃ・５Ｒ上の図柄を視認できるように、透過状態となる。窓枠表示領域は、各図柄表示領域を囲むように設けられ、リール５Ｌ・５Ｃ・５Ｒの前面に配置された図柄表示領域の窓枠を表したものである。
【００４３】
演出表示領域は、液晶表示部３ｂの領域のうち、図柄表示領域及び窓枠表示領域以外の領域である。この演出表示領域は、ボーナスが成立可能であることを確定的に報知する画像（例えば、告知ランプ）の表示、ゲームの興趣を増大するための演出、遊技者がゲームを有利に進めるために必要な情報などの表示を行う。
【００４４】
固定表示部３ｃは、予め定めた図、絵などが描かれる領域である。なお、この固定表示部３ｃに描かれた図、絵などと、演出表示領域に表示された画像を連接させることにより１つの静止画像又は動画像を表示できるようにしてもよい。
【００４５】
ところで、前述したように、多数の遊技者が集まる遊技店などにおいては、店舗内に空調機が設置されているが、体感温度には個人差があるため、遊技者個人によっては、空調機からの直撃風を避けることが望ましい。このため、遊技中に風防装置２によって空調機の直撃風を防止し、快適に遊技できるようにする。
【００４６】
図１から図３において、風防装置２は、着席する遊技者（図示せず）の少なくとも頭部上方及び背後を覆うための装置である。風防装置２は、一対の伸縮ロッド２１ａ・２１ｂを有しており、一対の伸縮ロッド２１ａ・２１ｂの基端部は、筐体４の上部に回動可能に連結されている。
【００４７】
図１から図３において、例えば、一対の伸縮ロッド２１ａ・２１ｂの基端部側には、一対の継手２１ｃ・２１ｄが設けられており、一対の継手２１ｃ・２１ｄの各々は、固定子２１ｅ・２１ｆと回転子２１ｇ・２１ｈとを有している。そして、継手２１ｃ・２１ｄの固定子２１ｅ・２１ｆは、所定の距離だけ離間して筐体４の上部（上面）に固定されている。
【００４８】
図１から図３において、各継手２１ｃ・２１ｄの回転子２１ｇ・２１ｈは、固定子２１ｅ・２１ｆに回動可能に連結されており、これによって、一対の伸縮ロッド２１ａ・２１ｂは、それぞれ回転子２１ｇ・２１ｈを回動軸として回転子２１ｇ・２１ｈの回りに回動可能となっている（つまり、一対の伸縮ロッド２１ａ・２１ｂの先端部を前方又は後方に回動できることになる）。なお、固定子２１ｅ・２１ｆに対して、回転子２１ｇ・２１ｈが１８０度以上開角しないように、回転子２１ｇ・２１ｈの回動角度を規制することが望ましい。
【００４９】
図１から図３において、一対の伸縮ロッド２１ａ・２１ｂは、例えば、金属管又は合成樹脂管で形成されており、その基端部側が太く、先端部側が細くなるようにテーパが付された複数のパイプ（テーパ管）が細いものから順に太いものに挿着されて構成されている。この結果、一対の伸縮ロッド２１ａ・２１ｂは、細いテーパ管を太いテーパ管内に引き込んで順に重ねて収納することができ、各伸縮ロッド２１ａ・２１ｂの先端部を引き出し自在に延出できる。なお、最大口径のテーパ管が基端部となり、最小口径のテーパ管が先端部となるように、一対の伸縮ロッド２１ａ・２１ｂが筐体４の上部に配置される。
【００５０】
図１から図３において、一対の伸縮ロッド２１ａ・２１ｂの先端部同士は、連結ロッド２２によって回転可能に連結されている。例えば、一対の伸縮ロッド２１ａ・２１ｂの先端部には、それぞれリング状の一対の固定部２１ｊ・２１ｋが設けられ、一対の固定部２１ｊ・２１ｋに連結ロッド２２が挿通され、連結ロッド２２が一対の固定部２１ｊ・２１ｋに回転可能に支持されている。そして、伸縮ロッド２１ａ・２１ｂの伸張方向に沿って伸縮シート（蛇腹シート）２３が配設されている。
【００５１】
なお、図２においては、伸縮シート２３は省略されている。具体的には、伸縮シート２３の一端側の両翼が伸縮ロッド２１ａ・２１ｂの基端部に係止され、伸縮シート２３の他端側の両翼が伸縮ロッド２１ａ・２１ｂの先端部に係止されて、伸縮シート２３は伸縮ロッド２１ａ・２１ｂの伸張方向に沿って張設可能となっている。
【００５２】
図１又は図４及び図５において、伸縮シート２３は、所定風圧の直撃風が通過困難な材質であればよく、軽量であり折りたたみ可能な材質が望ましい。例えば、伸縮シート２３は、布製のシート又は合成樹脂製のシートであり、山折りと谷折りが繰り返される蛇腹構造を有している。一対の伸縮ロッド間を装架する比較的硬質の複数の帯板を用いて、屈折可能な比較的軟質の条片でこれらの帯板を相互に結合すれば、伸縮シート２３を山折りと谷折りが繰り返される蛇腹構造にすることができる。
【００５３】
更に、連結ロッド２２には、その一端が連結ロッド２２に取着されて、連結ロッド２２に巻回される巻回シート（例えば、透明体で形成されている）２４が取り付けられている。これによって、後述するように、一対の伸縮ロッド２１ａ・２１ｂの先端部を、図中前方に伸長した状態とすると、伸縮シート２３が遊技者の頭部上方を覆い、かつ巻回シート２４を引き下げると巻回シート２４が展開されて引き下げ部分２４ａによって遊技者の背後が覆われることになる。
【００５４】
図４又は図５において、伸縮シート２３は、その一端側の両翼（一端側の側端部）が一対の係止部材２５ａ・２５ｂによって、それぞれ伸縮ロッド２１ａ・２１ｂの基端部に取り付けられており、更に、伸縮シート２３の他端側の両翼（先端側の側端部）が一対の係止部材２５ｃ・２５ｄによって、それぞれ伸縮ロッド２１ａ・２１ｂの先端部側に取り付けられている。
【００５５】
図５に示すように、係止部材２５ａ〜２５ｄは傘状（鉤状）の係止部材であり、これらの係止部材２５ａ〜２５ｄに対応して、伸縮シート２３には係合穴部２６ａ〜２６ｄが形成されている。図示のように、係合穴部２６ａ〜２６ｄの各々は、円形部分とこの円形部分から延びる延在部分とを有しており、円形部分の径は、係止部材２５ａ〜２５ｄの頭部（傘部分）の径よりも大きい。
【００５６】
一方、一対の伸縮ロッド２１ａ・２１ｂの伸張方向に直交する方向において、延在部分の幅は係止部材２５ａ〜２５ｄの頭部の径よりも小さく、かつ係止部材２５ａ〜２５ｄの軸部分の径よりも大きい。そして、係合穴部２６ａ・２６ｂにおいては、延在部分が伸縮ロッド２１ａ・２１ｂの基端部方向に延在しており、係合穴部２６ｃ・２６ｄにおいては、延在部分が伸縮ロッド２１ａ・２１ｂの先端部方向に延在している。
【００５７】
次に、本発明による遊技機に備わる風防装置の作用を説明する。
【００５８】
図１から図４において、伸縮シート２３は、前述のように、山折りと谷折りが繰り返される蛇腹構造とされており、一対の伸縮ロッド２１ａ・２１ｂに取り付ける前の状態においては、縮む方向に力が作用する。したがって、伸縮シート２３を一対の伸縮ロッド２１ａ・２１ｂに取り付ける際には、係合穴部２６ａ〜２６ｄの円形部分にそれぞれ係止部材２５ａ〜２５ｄの頭部を挿入する。すると、伸縮シート２３には縮む方向に力が作用しているから、伸縮シート２３は、一対の伸縮ロッド２１ａ・２１ｂに沿って縮むことになる。これによって、係合穴部２６ａ〜２６ｄの延在部分が係止部材２５ａ〜２５ｄに移動した状態となって、伸縮シートが係止部材２５ａ〜２５ｄに係止される。延在部分の幅は係止部材２５ａ〜２５ｄの頭部の径よりも小さいので、伸縮シート２３が係止部材２５ａ〜２５ｄから外れることは容易ではない。
【００５９】
図４において、伸縮シート２３を係止部材２５ａ〜２５ｄから取り外す際には、伸縮シート２３を伸長する方向に力を加えて、係合穴部２６ａ〜２６ｄの円形部分を係止部材２５ａ〜２５ｄに移動して、伸縮シート２３を係止部材２５ａ〜２５ｄから離脱させるようにすればよい。
【００６０】
遊技者が遊技機１によって遊技中に空調機（図示せず）からの直撃風を避けたいと思った場合には、遊技者は次のようにして風防装置２を用いて空調機の直撃風を防止することができる。
【００６１】
風防装置２を使用しない状態では、一対の伸縮ロッド２１ａ・２１ｂは圧縮されて筐体４の後方に傾倒されている。つまり、一対の伸縮ロッド２１ａ・２１ｂは回転子２１ｇ・２１ｈ回りに後方側に回動されて収納位置に位置付けられている。この状態では、伸縮シート２３が圧縮され、かつ巻回シート２４が連結ロッド２２に巻回されて、筐体４の上部に収容されることになる。
【００６２】
風防装置２を使用する際には、一対の伸縮ロッド２１ａ・２１ｂを回転子２１ｇ・２１ｈ回りに回動させて、一対の伸縮ロッド２１ａ・２１ｂを筐体４の前方に傾倒させる（使用位置に傾倒させる）。そして、一対の伸縮ロッド２１ａ・２１ｂの先端部を前側に引っ張って伸縮ロッド２１ａ・２１ｂを伸長させる。
【００６３】
一対の伸縮ロッド２１ａ・２１ｂの伸長に伴って、伸縮シート２３が伸長し、伸縮シートによって遊技者の頭部上方が覆われた状態となる。続いて、巻回シート２４を下向きに引っ張って連結ロッド２２回りに回動して、引き下げ部分２４ａを繰り出すと、引き下げ部分２４ａによって遊技者の背後が覆われることになる（図１に示す状態）。
【００６４】
上述のようにして、一対の伸縮ロッド２１ａ・２１ｂの先端部を前方に伸長した状態では、伸縮シート２３が遊技者の頭部上方を覆い、かつ巻回シート２４の他端が展開されて遊技者の背後を覆っているので、空調機から直撃される冷風又は温熱風から遊技者を保護できることになる。
【００６５】
なお、風防装置２の使用をやめる際には、巻回シート２４を連結ロッド２２回りに回動して収納し、更に、一対の伸縮ロッド２１ａ・２１ｂを縮める。これによって、伸縮シート２３が折りたたまれることになり、一対の伸縮ロッド２１ａ・２１ｂを回転子２１ｇ・２１ｈ回りに後方に回動させれば、一対の伸縮ロッド２１ａ・２１ａが筐体４の後方に傾倒して、収納位置に収納される。
【００６６】
このようにして、風防装置を使用しない場合には、一対の伸縮ロッド２１ａ・２１ｂを回転子２１ｇ・２１ｈ回りに後方に回動させ、伸縮ロッド２１ａ・２１ａを筐体４の後方に傾倒させればよいから、風防装置を遊技機の上部にコンパクトに収容することができる。更に、伸縮ロッド２１ａ・２１ｂを収縮すると、複数の帯板が相互に重なりあって伸縮シート２３が折りたたまれた状態となるから、この点においても風防装置を遊技機の上部にコンパクトに収容することができる。
【００６７】
なお、前述のように、巻回シート２４を透明体で形成するようにすれば、この巻回シート２４が展開された状態においても、店員などが巻回シート２４を介して遊技者を目視できる結果、例えば、遊技者の不正行為などを監視することができる。
【００６８】
又、図１に二点鎖線で示すように、伸縮ロッド２１ａ・２１ｂの伸縮方向側面に短尺のサイドカーテン（例えば、透明体）２７ａ・２７ｂを設けるようにしてもよく、このように、サイドカーテン２７ａ・２７ｂを設ければ、伸縮シート２３が張設された状態で、伸縮シート２３から巻き込む風を防止することができる。
【図面の簡単な説明】
【００６９】
【図１】本発明による遊技機の一実施形態を示す斜視外観図である。
【図２】前記実施形態による遊技機に備わる風防装置の平面図である。
【図３】前記実施形態による遊技機に備わる風防装置の正面図である。
【図４】前記実施形態による遊技機に備わる風防装置の斜視外観図である。
【図５】前記実施形態による遊技機に備わる風防装置の要部を拡大した斜視外観図である。
【符号の説明】
【００７０】
１  遊技機
２  風防装置
３  前面扉
４  筐体
２１ａ・２１ｂ  一対の伸縮ロッド
２２  連結ロッド
２３  伸縮シート
２４  巻回シート
【図１】
2008237299.tif 000003
【図２】
2008237299.tif 000004
【図３】
2008237299.tif 000005
【図４】
2008237299.tif 000006
【図５】
2008237299.tif 000007